(57)【要約】【課題】本発明は、所定温度未満の冷たい飲料の通過を許容し、所定温度以上の熱い飲料の通過は確実に阻止する弁体を備えることで、誤飲を確実に防ぐことができる画期的な弁体及び飲料容器を提供することを目的とするものである。【解決手段】流体通過路２に設けられる弁体３，２３，４３であって、この弁体３，２３，４３は形状記憶合金の特性に基づく変形作動により前記流体通過路２へ所定温度の流体が通過することを阻止するように構成されているものである。【選択図】　　　　図３
2004068987.tif 000002
【特許請求の範囲】
【請求項１】
流体通過路に設けられる弁体であって、この弁体は形状記憶合金の特性に基づく変形作動により前記流体通過路へ所定温度の流体が通過することを阻止するように構成されていることを特徴とする弁体。
【請求項２】
流体通過路に設けられる弁体であって、この弁体は前記流体通過路と連通する連通路を有し、また、この弁体は形状記憶合金の特性に基づく変形作動により前記流体通過路若しくは連通路を閉塞し、該流体通過路における所定温度の流体の通過を阻止するように構成されていることを特徴とする弁体。
【請求項３】
請求項１，２いずれか一項に記載の弁体において、前記流体通過路は、飲料容器内の飲料を外部に導出する飲料通過路であることを特徴とする弁体。
【請求項４】
飲料が詰入される飲料容器であって、該飲料容器には内部の飲料を外部に導出する飲料通過路が設けられ、この飲料通過路には所定温度の飲料の通過を阻止する弁体が設けられ、この弁体は、前記飲料通過路を通過する飲料の温度により変形して該飲料通過路を閉塞し、該飲料通過路へ所定温度の飲料が通過することを阻止するように構成されていることを特徴とする飲料容器。
【請求項５】
請求項４記載の飲料容器において、前記飲料容器は真空断熱性能を有し、前記飲料通過路は、下部が該飲料容器内の飲料に没入し、上部が該飲料容器外に臨ましめられた管体であり、この管体の下部に前記弁体が設けられていることを特徴とする飲料容器。
【請求項６】
請求項５記載の飲料容器において、前記弁体は、前記飲料通過路と連通する連通路を有し、この連通路には開閉弁が設けられ、この開閉弁は、形状記憶合金で形成した作動体の形状記憶合金の特性に基づく変形作動により連通路を閉塞し、前記飲料通過路へ所定温度の飲料が通過することを阻止するように構成されていることを特徴とする飲料容器。
【請求項７】
請求項５，６いずれか１項に記載の飲料容器において、前記開閉弁は、所定温度以上の熱い飲料が連通路を通過して前記作動体に接触した際、該作動体の前記変形作動により開弁状態から閉弁状態となるように構成されていることを特徴とする飲料容器。
【発明の詳細な説明】
【０００１】
【発明の属する技術分野】
本発明は、弁体及び飲料容器に関するものである。
【０００２】
【従来の技術及び発明が解決しようとする課題】
飲料を入れて長時間その温度を保つことができる真空断熱性能を有する水筒は、内部と外部とを、真空断熱層により遮断しているため、秀れた保温性能を発揮する。
【０００３】
従って、この真空断熱性能を有する水筒は触っただけでは、中に入っている飲料の冷熱を判断することが困難である。
【０００４】
ところで、近年、水筒内の飲料を備え付けられたストローより吸って飲むストロー付きの飲料容器が提案されており、最近では前記真空断熱性能を有するものまで提案されている。
【０００５】
この真空断熱性能を有するストロー付きの飲料容器は、確かに飲料の温冷が保たれて便利であるが、この保温性能に起因する前記した欠点がある。
【０００６】
即ち、例えば、中に熱い飲料が入っていた場合、水筒を触るだけでは冷熱を判断できないため、冷たい飲料が入っていると誤認して熱い飲料を吸ってしまうことがあり、特に幼児がこのように誤って熱い飲料を吸った場合は大事故になる。
【０００７】
本発明は、上述の問題点を解決するもので、所定温度未満の冷たい飲料の通過を許容し、所定温度以上の熱い飲料の通過は確実に阻止する弁体を備えることで、誤飲を確実に防ぐことができる画期的な弁体及び飲料容器を提供するものである。
【０００８】
【課題を解決するための手段】
添付図面を参照して本発明の要旨を説明する。
【０００９】
流体通過路２に設けられる弁体３，２３，４３であって、この弁体３，２３，４３は形状記憶合金の特性に基づく変形作動により前記流体通過路２へ所定温度の流体が通過することを阻止するように構成されていることを特徴とする弁体に係るものである。
【００１０】
また、流体通過路２に設けられる弁体３，２３，４３であって、この弁体３，２３，４３は前記流体通過路２と連通する連通路４，２４，４４を有し、また、この弁体３，２３，４３は形状記憶合金の特性に基づく変形作動により前記流体通過路２若しくは連通路４，２４，４４を閉塞し、該流体通過路２における所定温度の流体の通過を阻止するように構成されていることを特徴とする弁体に係るものである。
【００１１】
また、請求項１，２いずれか一項に記載の弁体において、前記流体通過路２は、飲料容器１内の飲料を外部に導出する飲料通過路２であることを特徴とする弁体に係るものである。
【００１２】
また、飲料が詰入される飲料容器１であって、該飲料容器１には内部の飲料を外部に導出する飲料通過路２が設けられ、この飲料通過路２には所定温度の飲料の通過を阻止する弁体３，２３，４３が設けられ、この弁体３，２３，４３は、前記飲料通過路２を通過する飲料の温度により変形して該飲料通過路２を閉塞し、該飲料通過路２へ所定温度の飲料が通過することを阻止するように構成されていることを特徴とする飲料容器に係るものである。
【００１３】
また、請求項４記載の飲料容器において、前記飲料容器１は真空断熱性能を有し、前記飲料通過路２は、下部が該飲料容器１内の飲料に没入し、上部が該飲料容器１外に臨ましめられた管体１０であり、この管体１０の下部に前記弁体３，２３，４３が設けられていることを特徴とする飲料容器に係るものである。
【００１４】
また、請求項５記載の飲料容器において、前記弁体３，２３，４３は、前記飲料通過路２と連通する連通路４，２４，４４を有し、この連通路４，２４，４４には開閉弁５，２５，４５が設けられ、この開閉弁５，２５，４５は、形状記憶合金で形成した作動体６，２６，４６の形状記憶合金の特性に基づく変形作動により連通路４，２４，４４を閉塞し、前記飲料通過路２へ所定温度の飲料が通過することを阻止するように構成されていることを特徴とする飲料容器に係るものである。
【００１５】
また、請求項５，６いずれか１項に記載の飲料容器において、前記開閉弁５，２５，４５は、所定温度以上の熱い飲料が連通路４，２４，４４を通過して前記作動体６，２６，４６に接触した際、該作動体６，２６，４６の前記変形作動により開弁状態から閉弁状態となるように構成されていることを特徴とする飲料容器に係るものである。
【００１６】
【発明の作用及び効果】
例えば、本発明に係る弁体３，２３，４３を飲料容器１の飲料通過路２に設けた場合、飲料通過路２を通過する飲料の温度により形状記憶合金の特性に基づき変形して飲料通過路２が開閉されるから、例えば、飲料が所定温度未満の場合は普通に飲料が通過し該飲料を飲むことができ、飲料が所定温度以上の場合は形状記憶合金の変形作動により飲料通過路２は閉塞し該飲料の通過が阻止され、よって、該飲料を飲むことができなくなる。
【００１７】
従って、本発明によれば、飲料容器内の飲料の冷熱の判断を誤っても、誤飲を確実に阻止することができ、極めて安全な飲料容器を提供し得ることになる。
【００１８】
【発明の実施の形態】
図１〜４は本発明の第一実施例、図５，６は第二実施例、図７，８は第三実施例であり、以下に説明する。
【００１９】
第一実施例について説明する。
【００２０】
第一実施例は、飲料が詰入される飲料容器１であって、該飲料容器１には内部の飲料を外部に導出する飲料通過路２が設けられ、この飲料通過路２には所定温度の飲料の通過を阻止する弁体３が設けられ、この弁体３は、前記飲料通過路２を通過する飲料の温度により変形して該飲料通過路２を閉塞し、該飲料通過路２へ所定温度の飲料が通過することを阻止するように構成されているものである。
【００２１】
各部を具体的に説明すると、飲料容器１には真空断熱性能を有する水筒が採用され、外部と内部との熱伝導を遮断して秀れた保温性能を持つように構成されたものである。
【００２２】
また、この飲料容器１は、胴部１ａの上部に蓋体１ｂが設けられたもので、この蓋体１ｂには、飲料容器１内の飲料を吸う管体１０（ストロー）が飲料通過路２として設けられ、この管体１０の下端部には次の構造を有する弁体３が設けられている。
【００２３】
弁体３は、上下両端部が開口し下体１２ａと上体１２ｂとに分割できるケース体１２内に上下方向に移動する開閉弁５が設けられたものであり、具体的には上端開口部を有する連設路１５、ケース体１２の内部空間及び下端開口部２０により構成される連通路４に開閉弁５が設けられ、この開閉弁５は連設路１５の下端開口部１５ａ（弁孔）を開閉するものである。
【００２４】
このケース体１２の上体１２ｂの下端部には二つの係止凸部１４が形成され、下体１２ａの上端部には前記係止凸部１４の挿通を許容する二つの切欠凹部１３が形成された抜け止め係止部１６が設けられている。
【００２５】
尚、連設路１５には前記管体１０が嵌入される。
【００２６】
開閉弁５の外面には等間隔で通液切欠部８が形成され、また、開閉弁５の上面には円形凹部が形成され、この円形凹部にはゴムパッキン９が設けれられ、また、開閉弁５の下部には取付体１７が螺着されている。
【００２７】
また、このケース体１２の内部上部側位置にはスプリング受け凹部１８が設けられ、このスプリング受け凹部１８に上端側が嵌入され位置決め状態となり、また、下端が前記円形凹部のゴムパッキン９により支持されたスプリング７が配設されている。
【００２８】
また、取付体１７の下端には、形状記憶合金から成る棒状の作動体６が該取付体１７に貫通して設けられており、この作動部６の両端はケース体１２内の下部に形成された作動体受け１９により支持されている。
【００２９】
また、開閉弁５は、常態ではスプリング７により下方に付勢され、前述した形状記憶合金からなる作動体６を押し曲げながら連設路１５の下端開口部１５ａを開放する位置に移動し、また、ケース体１２の下端開口部２０から熱い飲料（５０度以上の飲料）が入り込んで作動体６に触れた場合には、この作動体６が形状記憶合金の特性によって、押し曲げられた状態から直状に硬質化し、この際作動体６に生じる力がスプリング７による付勢力に打ち勝つことで開閉弁５は上方に移動し連設路１５の下端開口部１５ａを閉塞する位置に移動するように構成されている。
【００３０】
従って、このスプリング７は流体が所定温度以下の常態において作動体６を押し曲げて開閉弁５が連設路１５の下端開口部１５ａを開口し、流体が所定温度以上の場合には該作動体６を押し曲げることができない弾性のものが採用されている。
【００３１】
尚、図中符号１１はパッキンである。
【００３２】
本第一実施例は上述のように構成したから以下に示すような作用効果を得る。
【００３３】
例えば、本第一実施例の弁体３を飲料容器１に設けられた管体１０の下端部に設けた場合、ケース体１２を通過する飲料の温度により、作動体６が形状記憶合金の特性に基づき変形して連設路１５の下端開口部１５ａが開閉されるから、例えば、飲料が所定温度未満の場合は図３の矢印のごとく普通に飲料が通過し該飲料を飲むことができ、飲料が所定温度以上の場合は作動体６の変形作動により連設路１５の下端開口部１５ａを閉塞し該飲料の通過が阻止され、よって、該飲料を飲むことができなくなる。
【００３４】
従って、本第一実施例によれば、飲料容器内の飲料の冷熱の判断を誤っても、誤飲を確実に阻止することができ、極めて安全な飲料容器となる。
【００３５】
また、ケース体１２は下体１２ａと上体１２ｂとで構成されているから、下体１２ａの上端部の切欠凹部１３に上体１２ｂの下端部の係止凸部１４を合わせて上体１２ｂを嵌挿し、この上体１２ｂを９０度回転することで抜け止め状態となり、両者を容易に固着することができ、同様にして分割も容易であるから、内部を簡単に洗浄して常に清潔な弁体３とすることができる。
【００３６】
更に、スプリング７は、ケース体１２の内部上部側位置のスプリング受け凹部１８と、開閉弁５上面の円形凹部による段部とによって位置決め状態で配設されているから、常に安定して作動させることができる。
【００３７】
更に、ゴムパッキン９が連設部１５の下端開口部１５ａに当接することで閉塞されるから、隙間なく密着して閉塞状態においては確実に飲料の通過を阻止できる。
【００３８】
また、取付体１７は開閉弁５に螺着されているから、作動体６の位置調整を簡単に行うことができる。
【００３９】
本第一実施例においては、形状記憶合金の特性から、５０度未満の飲料は飲むことができて、５０度以上の飲料は飲むことができない構成として、誤飲を防ぐように構成したが、例えば、必ずぬるくない冷たい飲料だけを飲めるような構成とするには、形状記憶合金を１５度以上で変形するものを採用すればよく、その他にも様々な使い方に対応した構成とすることができる。
【００４０】
本第一実施例は、飲料容器に弁体３を設けた場合であるが、飲料容器だけに限らず、飲み薬容器等のその他様々な場合に本第一実施例の弁体３を用いることができる。
【００４１】
次に、第二実施例について説明する。
【００４２】
第二実施例の弁体２３は、上下両端部を開口した円筒状のケース体３２の下端部に、開閉弁２５を設けたものであり、具体的には上端開口部を有する連設路３５、ケース体３２の内部空間及び下端開口部４０により構成される連通路２４に開閉弁２５が設けられ、この開閉弁２５はケース体３２の下端開口部４０を開閉するものである。
【００４３】
このケース体３２の上部には前記管体１０が連設され、また、このケース体３２の下部の外周には一端がケース体３２の段部３３で受けられ他端が開閉弁２５の上端で受けられるスプリング２７が被嵌され、また、ケース体３２の下部の内部には上端がケース体３２内に固着された取付体２８に係止され、下端が開閉弁２５の凸部２５ａに係止されたコイル状の形状記憶合金からなる作動体２６が配設されたものである。
【００４４】
尚、開閉弁２５は、その上面にして前記凸部２５ａの周囲にゴムパッキン２９が設けられている。
【００４５】
また、開閉弁２５は、常態ではスプリング２７により下方に付勢され、前述した形状記憶合金からなる作動体２６を引き伸ばしながらケース体３２の下端開口部４０を開放する位置に移動し、また、ケース体３２の下端開口部４０から熱い飲料（５０度以上の飲料）が入り込んで作動体２６に触れた場合には、この作動体２６が形状記憶合金の特性によって、引き伸ばされた状態から縮んで硬質化し、この際作動体２６に生じる力がスプリング２７による付勢力に打ち勝つことで開閉弁２５はケース体３２の下端開口部４０を閉塞するように構成されている。
【００４６】
従って、このスプリング２７は流体が所定温度以下の常態において作動体２６を引き伸ばして開閉弁２５がケース体３２の下端開口部４０を開口し、流体が所定温度以上の場合には該作動体２６を引き伸ばすことができない弾性のものが採用されている。
【００４７】
本第二実施例は上述のように構成したから以下に示すような作用効果を得る。
【００４８】
例えば、本第二実施例の弁体２３を飲料容器１に設けられた管体１０の下端部に設けた場合、ケース体３２を通過する飲料の温度により、作動体２６が形状記憶合金の特性に基づき変形してケース体３２の下端開口部４０が開閉されるから、例えば、飲料が所定温度未満の場合は普通に飲料が通過し該飲料を飲むことができ、飲料が所定温度以上の場合は作動体２６の変形作動によりケース体３２の下端開口部４０を閉塞し該飲料の通過が阻止され、よって該飲料を飲むことができなくなる。
【００４９】
また、本第二実施例の開閉弁２５は、ケース体３２内部でなく、外部に設けた構成としているから、ケース体３２がストロー等の管体１０よりやや径が大きいものであればよく、弁体２３をよりコンパクトにすることができる。
【００５０】
その余は第一実施例と同様である。
【００５１】
次に、第三実施例について説明する。
【００５２】
第三実施例の弁体４３は、第一実施例と同様に、ケース体５２の内部に開閉弁４５を設けたものであり、具体的には上端開口部を有する連設路５５、ケース体５２の内部空間及び下端開口部６０により構成される連通路４４に開閉弁４５が設けられ、この開閉弁４５は管体１０の下端開口部１０ａを開閉するものである。
【００５３】
このケース体５２は胴部５２ａと底板５２ｂとで構成され、底板５２ｂの上面にはガイド筒５４が突設され、このガイド筒５４には開閉弁４５の下端に設けた突体４８がスライド移動可能に挿入されている。
【００５４】
また、このケース体５２の底板５２ｂには８個の下端開口部６０が設けられ、また底板５２ｂの下面中央部には摘子５１が突設され、更に、底板５２ｂの外周には４つの係止部５３が設けられている。
【００５５】
また、胴部５２ａの下端には前記係止部５３が係止される４つのＬ字溝５９が設けられている。
【００５６】
また、開閉弁４５の上部周面には凹溝５６が設けられ、一端がこの凹溝５６に、他端がケース体５２の上側内面に支持されたスプリング４７が設けられ、また、前記ガイド筒５４にはコイル状の形状記憶合金からなる作動体４６が被嵌され、この作動体４６の上端は開閉弁４５の下部に、また、作動体４６の下端はケース体５２の底板５２ｂに支持されている。
【００５７】
また、この開閉弁４５は中央に凹部５７を有し、この凹部５７の底部にはゴムパッキン４９が設けられ、このゴムパッキン４９は、該開閉弁４５が移動した際ケース体５２内に挿入された管体１０の下端開口部１０ａを閉塞するように構成されている。
【００５８】
また、開閉弁４５は、常態ではスプリング４７により下方に付勢され、前述した形状記憶合金からなる作動体４６を押し縮めながら管体１０の下端開口部１０ａを開放する位置に移動し、また、ケース体５２の下端開口部６０から熱い飲料（５０度以上の飲料）が入り込んで作動体４６に触れた場合には、この作動体４６が形状記憶合金の特性によって、押し縮められた状態から伸びて硬質化し、この際作動体４６に生じる力がスプリング４７による付勢力に打ち勝つことで開閉弁４５は上方に移動し、管体１０の下端開口部１０ａを閉塞するように構成されている。
【００５９】
従って、このスプリング４７は流体が所定温度以下の常態において作動体４６を押し縮めて開閉弁４５が管体１０の下端開口部１０ａを開口し、流体が所定温度以上の場合には該作動体４６を押し縮めることができない弾性のものが採用されている。
【００６０】
尚、図中符号５８はパッキンである。
【００６１】
本第三実施例は上述のように構成したから以下に示すような作用効果を得る。
【００６２】
例えば、本第三実施例の弁体４３を飲料容器１に設けられた管体１０の下端部に設けた場合、ケース体５２を通過する飲料の温度により、作動体４６が形状記憶合金の特性に基づき変形して管体１０の下端開口部１０ａが開閉されるから、例えば、飲料が所定温度未満の場合は普通に飲料が通過し該飲料を飲むことができ、飲料が所定温度以上の場合は作動体４６の変形作動により管体１０の下端開口部１０ａを閉塞し該飲料の通過が阻止され、よって該飲料を飲むことができなくなる。
【００６３】
また、ケース体５２は胴部５２ａと底板５２ｂとで構成されているから、摘子５１をつまみ、ケース体５２の底に挿入して底板５２ｂを回動させると該底板５２ｂに設けられた係止部５３が胴部５２ａの下端に設けたＬ字溝５９に嵌合し、底板５２ｂは胴部５２ａに容易に固着される。
【００６４】
従って、分離もまた容易であるから、内部を簡単に洗浄して常に清潔な弁体４３とすることができる。
【００６５】
また、開閉弁５はガイド筒５４によってガイドされて上下方向に移動するから、開閉弁５が上方に移動する際には、ずれなく確実に管体１０の下端開口部１０ａを閉塞状態として流体の通過を阻止することができる。
【００６６】
その余は第一実施例と同様である。
【図面の簡単な説明】
【図１】第一実施例の説明側面図である。
【図２】第一実施例の分解説明斜視図である。
【図３】第一実施例の弁体の開放状態を示す説明断面図である。
【図４】第一実施例の弁体の閉塞状態を示す説明断面図である。
【図５】第二実施例の説明断面図である。
【図６】第二実施例の説明側面図である。
【図７】第三実施例の説明断面図である。
【図８】第三実施例の説明斜視図である。
【符号の説明】
１　飲料容器
２　流体通過路，飲料通過路
３，２３，４３　弁体
４，２４，４４　連通路
５，２５，４５　開閉弁
６，２６，４６　作動体
１０　管体
【図１】
2004068987.tif 000003
【図２】
2004068987.tif 000004
【図３】
2004068987.tif 000005
【図４】
2004068987.tif 000006
【図５】
2004068987.tif 000007
【図６】
2004068987.tif 000008
【図７】
2004068987.tif 000009
【図８】
2004068987.tif 000010